Podtech/llm-jp-corpus-v4-ja_patent huggingface dataset:
【手続補正書】
【提出日】令和3年10月29日(2021.10.29)
【手続補正１】
【補正対象書類名】特許請求の範囲
【補正対象項目名】全文
【補正方法】変更
【補正の内容】
【特許請求の範囲】
【請求項１】
第１情報表示手段と、
第２情報表示手段と、
開閉可能な前面扉を備え、
前面扉の所定の位置には、所定の発光手段が実装された所定のランプ基板を備え、
所定のランプ基板における所定の発光手段の実装面は、少なくとも一部が略白色で構成されており、
所定のランプ基板は、所定の固定部材によって固定されており、
所定のランプ基板の実装面を基準として、所定のランプ基板を固定している状態での所定の固定部材の高さは、所定の発光手段の高さよりも高く構成されており、
遊技区間として、第１区間と、第２区間とを有し、
第２区間では、第１情報表示手段にストップスイッチの有利な操作態様に関する情報が表示可能となるよう構成されており、
第２区間では、第２情報表示手段にストップスイッチの有利な操作態様に関する情報が表示可能となるよう構成されており、
第２区間であって、内部抽せん手段によって特定抽せん結果が決定された遊技では、指示遊技が実行される場合を有するよう構成されており、
最小遊技時間が経過している所定の状況下でスタートスイッチの操作が受け付けられて指示遊技が実行される場合、第１情報表示手段にストップスイッチの有利な操作態様に関する情報が表示された後に、第２情報表示手段にストップスイッチの有利な操作態様に関する情報が表示されるよう構成されており、
最小遊技時間が経過していない特定の状況下でスタートスイッチの操作が受け付けられて指示遊技が実行される場合、第２情報表示手段にストップスイッチの有利な操作態様に関する情報が表示された後に、第１情報表示手段にストップスイッチの有利な操作態様に関する情報が表示される場合を有するよう構成されている
ことを特徴とする遊技機。
【手続補正２】
【補正対象書類名】明細書
【補正対象項目名】０００５
【補正方法】変更
【補正の内容】
【０００５】
本発明は、以下の解決手段によって上述の課題を解決する。
第１情報表示手段と、
第２情報表示手段と、
開閉可能な前面扉を備え、
前面扉の所定の位置には、所定の発光手段が実装された所定のランプ基板を備え、
所定のランプ基板における所定の発光手段の実装面は、少なくとも一部が略白色で構成されており、
所定のランプ基板は、所定の固定部材によって固定されており、
所定のランプ基板の実装面を基準として、所定のランプ基板を固定している状態での所定の固定部材の高さは、所定の発光手段の高さよりも高く構成されており、
遊技区間として、第１区間と、第２区間とを有し、
第２区間では、第１情報表示手段にストップスイッチの有利な操作態様に関する情報が表示可能となるよう構成されており、
第２区間では、第２情報表示手段にストップスイッチの有利な操作態様に関する情報が表示可能となるよう構成されており、
第２区間であって、内部抽せん手段によって特定抽せん結果が決定された遊技では、指示遊技が実行される場合を有するよう構成されており、
最小遊技時間が経過している所定の状況下でスタートスイッチの操作が受け付けられて指示遊技が実行される場合、第１情報表示手段にストップスイッチの有利な操作態様に関する情報が表示された後に、第２情報表示手段にストップスイッチの有利な操作態様に関する情報が表示されるよう構成されており、
最小遊技時間が経過していない特定の状況下でスタートスイッチの操作が受け付けられて指示遊技が実行される場合、第２情報表示手段にストップスイッチの有利な操作態様に関する情報が表示された後に、第１情報表示手段にストップスイッチの有利な操作態様に関する情報が表示される場合を有するよう構成されている
ことを特徴とする。
【手続補正書】
【提出日】令和2年12月18日(2020.12.18)
【手続補正１】
【補正対象書類名】特許請求の範囲
【補正対象項目名】全文
【補正方法】変更
【補正の内容】
【特許請求の範囲】
【請求項１】
洗濯機本体と、
前記洗濯機本体に設けられた洗濯物出入用の開口部と、
前記洗濯機本体に回動可能に設けられ、前記開口部を開閉する蓋と、
前記蓋の内部に設けられ、当該蓋を前記開口部を開く方向に向けて付勢するばね部材と、
前記蓋の前記開口部側の面を覆うカバー部材と、
を備え、
前記カバー部材は、前記蓋の前記開口部側の面を構成する部材とは別体に設けられ、
前記ばね部材は、前記洗濯機本体側に保持される本体側部分を有し、
前記カバー部材は、前記ばね部材の前記本体側部分を回避する回避部を有し、
前記回避部は、前記カバー部材の端部から形成されている洗濯機。
【請求項２】
前記カバー部材が前記蓋の前記開口部側の面を覆う状態において、前記カバー部材のうち前記蓋の基端部側に位置する端部から前記回避部が形成されている請求項１に記載の洗濯機。
【請求項３】
前記ばね部材の前記本体側部分は、前記洗濯機本体に直接保持されている請求項１または２に記載の洗濯機。
【請求項４】
前記蓋の内部に設けられ、当該蓋の回動中心となるシャフトをさらに備え、
前記ばね部材の前記本体側部分は、前記シャフトが延びる方向に直交する方向に延びる請求項１から３の何れか１項に記載の洗濯機。
【請求項５】
前記シャフトを保持するシャフト保持部をさらに備え、
前記カバー部材は、前記シャフト保持部に前記シャフトが保持された状態を維持する保持状態維持部を有する請求項４に記載の洗濯機。
【手続補正２】
【補正対象書類名】明細書
【補正対象項目名】０００２
【補正方法】変更
【補正の内容】
【０００２】
洗濯槽の回転軸が縦方向である、いわゆる縦軸型の洗濯機は、洗濯物出入用の開口部、および、この開口部を開閉する蓋を備えている。例えば特許文献１に開示されているように、この種の縦軸型の洗濯機においては、蓋を回動可能に支持するヒンジ部に、当該蓋を開口部を開く方向に付勢するばね部材を設けた構成が考えられている。
【手続補正３】
【補正対象書類名】明細書
【補正対象項目名】０００４
【補正方法】変更
【補正の内容】
【０００４】
本実施形態は、カバー部材を備える蓋が回動する際に、カバー部材にばね部材が干渉してしまうことを回避することができるようにした洗濯機を提供する。
【手続補正４】
【補正対象書類名】明細書
【補正対象項目名】０００５
【補正方法】変更
【補正の内容】
【０００５】
本実施形態に係る洗濯機は、洗濯機本体と、洗濯物出入用の開口部と、蓋と、ばね部材と、カバー部材と、を備える。洗濯物出入用の開口部は、前記洗濯機本体に設けられている。蓋は、前記洗濯機本体に回動可能に設けられ、前記開口部を開閉する。ばね部材は、前記蓋の内部に設けられ、当該蓋を前記開口部を開く方向に向けて付勢する。カバー部材は、前記蓋の前記開口部側の面を覆う。そして、前記カバー部材は、前記蓋の前記開口部側の面を構成する部材とは別体に設けられ、前記ばね部材は、前記洗濯機本体側に保持される本体側部分を有し、前記カバー部材は、前記ばね部材の前記本体側部分を回避する回避部を有し、前記回避部は、前記カバー部材の端部から形成されている。
【手続補正書】
【提出日】令和3年3月17日(2021.3.17)
【手続補正１】
【補正対象書類名】明細書
【補正対象項目名】０００９
【補正方法】変更
【補正の内容】
【０００９】
【図１】図１は、本発明のパンツ型使い捨ておむつの一実施形態を示す斜視図である。
【図２】図２は、図１に示すパンツ型使い捨ておむつの展開且つ伸長状態における肌対向面側を模式的に示す展開平面図である。
【図３】図３は、図１に示すパンツ型使い捨ておむつの廃棄形態を示す斜視図である。
【図４】図４は、図１に示すパンツ型使い捨ておむつに設けられた廃棄用テープの構造を示す断面図である。
【図５】図５は、図１に示すパンツ型使い捨ておむつの廃棄用テープを伸長させる様子を示す斜視図である。
【図６】図６（ａ）及び（ｂ）は、本発明に係る伸長部に色の変化が生じるようになされている態様の一例を示す模式図である。
【図７】図７（ａ）及び（ｂ）は、別の態様を示す図６相当図である。
【図８】図８（ａ）及び（ｂ）は、さらに別の態様を示す図６相当図である。
【図９】図９は、本発明に係る廃棄用テープの配置例を示す部分平面図である。
【手続補正２】
【補正対象書類名】明細書
【補正対象項目名】００３２
【補正方法】変更
【補正の内容】
【００３２】
条件（１）のヘイズ値は下記の方法により測定する。
〔ヘイズ値の測定方法〕
ヘイズ値は、市販のヘイズメーター、例えば日本電色工業株式会社社製、機種ＮＤＨ５０００を用いて、ＪＩＳ  Ｋ７１０５に準拠して測定され、下記式（１）により計算される。
Ｈ  ＝  （Ｔｄ／Ｔｔ）×１００・・・（１）
ここで、Ｈはヘイズ値（％）、Ｔｄは拡散透過率（％）、Ｔｔは全光線透過率（％）である。なお、測定は、伸長開始前の測定位置と伸長過程の測定位置とが重なるように行う。測定は１０回行い、その平均を測定値とする。
ヘイズ値は、透明性の程度を表す指標であるが、本発明においては色の変化の大きさを示す指標の一つとして用いる。
【手続補正３】
【補正対象書類名】明細書
【補正対象項目名】００３７
【補正方法】変更
【補正の内容】
【００３７】
二次加工方法としては、伸長に伴って着色を有する着色部の配置や面積率が変化するパターンで着色された部材を用いることが好ましい。このようなパターンの例を、図６〜図８に示す。また、着色部の面積率とは、単位面積（１ｍｍ２）当たりの着色部の面積の割合である。
図６（ａ）及び（ｂ）に示すパターンは、伸長前よりも伸長過程における着色部の色味が濃くなるパターンである。図６（ａ）及び（ｂ）に示すパターンでは、着色部が長手方向Ｘ１に延びており、該着色部と着色されていない非着色部とが、長手方向Ｘ１に直交する幅方向Ｙ１に交互に並んで配されている。また、図６（ｂ）に示す着色部は、長手方向Ｘ１に連続して延びており、図６（ａ）に示す着色部は、長手方向Ｘ１に間欠的に延びている。
図６（ａ）及び（ｂ）に示すパターンでは、伸長部１５が長手方向Ｘ１に伸長することで、幅方向Ｙ１の長さが縮む。これにより、幅方向Ｙ１に間欠的に並ぶ着色部どうしが寄り集まった配置となり、着色部の面積率が伸長前よりも高くなる。その結果、着色部の色味が伸長前よりも濃く知覚される。
【手続補正４】
【補正対象書類名】明細書
【補正対象項目名】００３８
【補正方法】変更
【補正の内容】
【００３８】
図７（ａ）及び（ｂ）に示すパターンは、伸長前よりも伸長過程における着色部の色味が薄くなるパターンである。図７（ａ）に示すパターンでは、ある程度の大きさの着色部を有している。図７（ｂ）に示すパターンでは、着色部と着色されていない非着色部とが、長手向Ｘ１に交互に並んで配されている。
図７（ａ）に示すパターンでは、伸長部１５の伸長に伴い、着色部が伸展されることで、着色部の色味が、伸長前よりも薄く知覚される。図７（ｂ）に示すパターンでは、前記伸長により非着色部が伸展されることで、着色部の面積率が伸長前よりも低くなる。その結果、着色部の色味が伸長前よりも薄く知覚される。
【手続補正５】
【補正対象書類名】明細書
【補正対象項目名】００５０
【補正方法】変更
【補正の内容】
【００５０】
上記と同様の観点から、伸長部１５は、前記第１段階で、色の変化が生じないことが好ましい。即ち、伸長部１５は、伸長開始から最大長さの２／３に伸長するまでは、色の変化が生じないことが好ましい。
本明細書において「色の変化が生じない」とは、前記条件（１）及び（２）におけるヘイズ値の差及び色差（ΔＥ＊値）の双方が上述した所定値未満であることを意味する。なお、色の変化が二次加工方法で着色されるパターンに起因するものであり、上述した伸長に伴って図形若しくは記号が知覚可能となるとともに着色部の色が変化するパターンを含む場合、「色の変化が生じない」とは、色差（ΔＥ＊値）が上述した所定値未満であることを意味する。
【手続補正６】
【補正対象書類名】明細書
【補正対象項目名】００５２
【補正方法】変更
【補正の内容】
【００５２】
伸長部を十分に伸長させて、廃棄用テープをおむつに巻き付ける作業を容易にする観点から、伸長部１５は、伸長前の長さの好ましくは４倍以上、より好ましくは５倍以上、さらに好ましくは６倍以上の長さに伸長可能であり、また好ましくは１２倍以下、より好ましくは１０倍以下、さらに好ましくは８倍以下の長さに伸長可能であり、また好ましくは４倍以上１２倍以下、より好ましくは５倍以上１０倍以下、さらに好ましくは６倍以上８倍以下の長さに伸長可能である。この伸長部１５の伸長可能な長さは、上述の〔伸長部の色が変化する伸長長さの測定方法〕により測定される破断強度を示した時点の伸長部１５の全長である。
【手続補正７】
【補正対象書類名】明細書
【補正対象項目名】００６５
【補正方法】変更
【補正の内容】
【００６５】
伸長部用粘着部１７は、伸長部用シート片１６の第２面１６ｂの全面に形成されていてもよい。また、止着部用粘着部２０は、止着部用シート片１９の第２面１９ｂの全面に形成されていてもよい。これら粘着部１７，２０はそれぞれ間欠的に形成されていてもよい。この場合、上述した粘着剤を間欠的に塗布することにより、これら粘着部１７，２０を間欠的に形成することができる。
【手続補正８】
【補正対象書類名】明細書
【補正対象項目名】００６６
【補正方法】変更
【補正の内容】
【００６６】
おむつ１の外面に設けられる廃棄用テープ１０は、伸長部用シート片１６の一方の端部側に固定部用シート片１３を、伸長部用シート片１６の他方の端部側に止着部用シート片１９を部分的に積層し、接着剤等の公知の方法を用いてその積層部分を接合して一体化することにより製造することができる。前記積層部分を形成する際、伸長部用シート片１６の他方の端部よりも、長手方向Ｘ１の内方に止着部用シート片１９を積層してもよい。また、伸長部用シート片１６の一方の端部よりも、長手方向Ｘ１の内方に固定部用シート片１３を積層してもよい。前記積層部分においては、前記の実施形態のように、シート片の一部を折り返した折り返し部を形成してもよい。
【手続補正書】
【提出日】令和2年12月17日(2020.12.17)
【手続補正１】
【補正対象書類名】特許請求の範囲
【補正対象項目名】全文
【補正方法】変更
【補正の内容】
【特許請求の範囲】
【請求項１】
遊技の内容を制御する主制御装置と、
入賞口に遊技球が入球したことに基づいて賞球の払出しを実行可能な払出制御装置と、を備え、
前記主制御装置は、
遊技中に抽選契機が発生すると、所定の抽選を実行する抽選実行手段と、
第１位置を選択させる第１操作、又は、第２位置を選択させる第２操作を少なくとも含む切替操作を実行可能な操作手段と、
前記所定の抽選を実行可能な第１状態、又は、前記所定の抽選の当選確率に関する設定値を参照可能な第２状態のいずれかを少なくとも設定可能な設定手段と、を有し、
前記設定手段は、
前記第１操作に応じて前記第１状態を設定可能であり、前記第２操作に応じて前記第２状態を設定可能であり、
前記第１状態に設定されている状態で前記第２操作が実行されても前記第２状態に移行させない一方で、前記第２状態に設定されている状態で前記第１操作が実行されると前記第１状態に移行させることが可能であり、
前記払出制御装置は、
前記第１状態に設定されている状態で前記入賞口に遊技球が入球すると前記賞球の払出しを実行する一方で、前記第２状態に設定されている状態で前記入賞口に遊技球が入球すると前記賞球の払出しを実行しないことを特徴とする遊技機。
【手続補正書】
【提出日】令和3年5月25日(2021.5.25)
【手続補正１】
【補正対象書類名】特許請求の範囲
【補正対象項目名】全文
【補正方法】変更
【補正の内容】
【特許請求の範囲】
【請求項１】
エネルギービームによって固化することができる造形材料層を連続して層ごとに選択的に照射及び固化することによって３次元の物体を積層造形する装置（１）であって、造形材料及び／又は造形するべき少なくとも１つの物体を搬送する少なくとも１つのキャリア要素（３）を有するキャリアデバイス（２）と、前記少なくとも１つのキャリア要素（３）を駆動するように構成された駆動ユニット（４）とを有し、前記駆動ユニット（４）が、少なくとも１つの結合手段（５）を介して前記キャリア要素（３）に結合される装置において、
前記キャリア要素（３）と前記少なくとも１つの結合手段（５）との結合を固定するように構成された少なくとも１つの固定ユニット（１０）を有し、前記固定ユニット（１０）が、前記結合手段（５）上に軸方向に向けられる固定力を印加するものであり、結合手段（５）は、キャリア要素（３）の開口（９）内に部分的に配置され、固定ユニット（１０）の直径は、開口（９）の直径より大きいことを特徴とする装置。
【請求項２】
前記結合手段（５）は、駆動領域（７）及び保持領域（８）を備え、前記結合手段（５）は、前記駆動領域（７）内で前記駆動ユニット（４）と相互作用し、前記保持領域（８）内で前記キャリア要素（３）と相互作用するように構成されることを特徴とする、請求項１に記載の装置。
【請求項３】
前記固定ユニット（１０）は、前記キャリア要素（３）に対する前記結合手段（５）の位置を機械的に固定するように構成されることを特徴とする、請求項１又は２に記載の装置。
【請求項４】
前記結合手段（５）は、前記キャリア要素（３）の前記開口（９）から突出し、前記固定ユニット（１０）は、前記結合手段（５）の保持領域（８）内で前記開口（９）に隣接して配置され、駆動領域（７）は、前記開口（９）の反対側に配置され、前記固定ユニット（１０）は、前記結合手段（５）を前記駆動領域（７）の方向に前記開口（９）から引き出されないように固定するように構成されることを特徴とする、請求項１に記載の装置。
【請求項５】
前記固定ユニット（１０）及び前記開口（９）は、ポジティブ・ロッキング連結として構成されることを特徴とする、請求項１又は４に記載の装置。
【請求項６】
保持領域（８）は、前記結合手段（５）の上部領域内に位置し、前記キャリア要素（３）に面していることを特徴とする、請求項１から５のいずれか一項に記載の装置。
【請求項７】
前記固定ユニット（１０）は、固定ディスクとして構築されることを特徴とする、請求項１から６のいずれか一項に記載の装置。
【請求項８】
前記固定ユニット（１０）は、ロッキング手段（１１）を介して、前記結合手段（５）に連結され、前記ロッキング手段（１１）は、前記固定ユニット（１０）を保持領域（８）にロックすることを特徴とする、請求項１から７のいずれか一項に記載の装置。
【請求項９】
前記結合手段（５）は、スピンドルであることを特徴とする、請求項１から８のいずれか一項に記載の装置。
【請求項１０】
前記開口（９）内で前記結合手段（５）を締め付けるように構成された締付けデバイス（１４）を有することを特徴とする、請求項１、４から９のいずれか一項に記載の装置。
【手続補正書】
【提出日】令和3年6月8日(2021.6.8)
【手続補正１】
【補正対象書類名】特許請求の範囲
【補正対象項目名】全文
【補正方法】変更
【補正の内容】
【特許請求の範囲】
【請求項１】
ヒューズを含む複数の電子部品を実装した基板を備える遊技機において、
前記基板の実装面には、
暗色のレジスト膜が略全域に亘って形成されるとともに、前記ヒューズの実装領域を特定する位置特定情報が当該レジスト膜上に印刷されており、
該位置特定情報は、前記レジスト膜の色と比較して明るい色であり、
前記位置特定情報によって特定される前記ヒューズの実装領域のうち前記ヒューズのガラス管に対向する特定実装領域は、前記レジスト膜が形成されて前記暗色に視認されるように構成され、
前記基板の信号配線パターンは、前記特定実装領域を通過することなく形成され、
前記位置特定情報は白色で形成されている、
ことを特徴とする遊技機。
【手続補正２】
【補正対象書類名】明細書
【補正対象項目名】０００７
【補正方法】変更
【補正の内容】
【０００７】
上記した目的を達成するために、請求項１に係る発明においては、
ヒューズを含む複数の電子部品を実装した基板を備える遊技機において、
前記基板の実装面には、
暗色のレジスト膜が略全域に亘って形成されるとともに、前記ヒューズの実装領域を特定する位置特定情報が当該レジスト膜上に印刷されており、
該位置特定情報は、前記レジスト膜の色と比較して明るい色であり、
前記位置特定情報によって特定される前記ヒューズの実装領域のうち前記ヒューズのガラス管に対向する特定実装領域は、前記レジスト膜が形成されて前記暗色に視認されるように構成され、
前記基板の信号配線パターンは、前記特定実装領域を通過することなく形成され、
前記位置特定情報は白色で形成されている、
ことを特徴とする。
【手続補正書】
【提出日】令和2年12月22日(2020.12.22)
【手続補正１】
【補正対象書類名】特許請求の範囲
【補正対象項目名】全文
【補正方法】変更
【補正の内容】
【特許請求の範囲】
【請求項１】
上皮組織内でＬＧＲ５陽性上皮幹細胞の増加が必要な被験体において上皮組織内でＬＧＲ５陽性上皮幹細胞を増加するための医薬であって、前記医薬は、ＣＨＩＲ９９０２１を含み、バルプロ酸ナトリウム塩を含む医薬と組み合わせて使用され、前記上皮幹細胞は、被験体の内耳中に存在する、医薬。
【請求項２】
上皮組織内でＬＧＲ５陽性上皮幹細胞の増加が必要な被験体において上皮組織内でＬＧＲ５陽性上皮幹細胞を増加するための医薬であって、前記医薬は、バルプロ酸ナトリウム塩を含み、ＣＨＩＲ９９０２１を含む医薬と組み合わせて使用され、前記上皮幹細胞は、被験体の内耳中に存在する、医薬。
【請求項３】
被験体の内耳のコルチ器官の感覚毛細胞が損傷している、請求項１または２記載の医薬。
【請求項４】
前記医薬の使用により、被験体の内耳幹細胞の増殖が増加する、請求項１〜３いずれか記載の医薬。
【請求項５】
被験体がヒトである、請求項１〜４いずれか記載の医薬。
【請求項６】
前記医薬が、ＣＨＩＲ９９０２１およびバルプロ酸ナトリウム塩を被験体に対して同時投与するためのものである、請求項１〜５いずれか記載の医薬。
【請求項７】
前記医薬が、ＣＨＩＲ９９０２１およびバルプロ酸ナトリウム塩を被験体に対して連続投与するためのものである、請求項１〜５いずれか記載の医薬。
【手続補正書】
【提出日】令和3年8月2日(2021.8.2)
【手続補正１】
【補正対象書類名】特許請求の範囲
【補正対象項目名】全文
【補正方法】変更
【補正の内容】
【特許請求の範囲】
【請求項１】
推奨態様での遊技と、非推奨態様での遊技が可能な遊技機であって、
遊技者にとって有利な有利状態に制御可能な有利状態制御手段と、
演出を実行可能な演出実行手段と、
前記有利状態の付与期待度を変動させるための複数の異なる制御情報のうちいずれかに応じて通常状態を制御可能な通常状態制御手段と、
前記有利状態及び前記通常状態を一連の有利区間とし、当該一連の有利区間において特定の条件が成立した場合に、当該一連の有利区間を終了させて非有利区間に制御可能な状態制御手段と、
遊技者にとって有利度の高い特定の制御情報に応じて、特別演出を実行することを決定可能な特別演出決定手段と、を備え、
前記特別演出決定手段は、前記一連の有利区間において最初の前記特別演出の実行は決定可能とし、以後同一の前記一連の有利区間において前記特別演出の実行を決定可能としないものであり、
前記演出実行手段は、前記非推奨態様で遊技を行った場合は、前記非推奨態様で遊技が行われている旨を示唆する所定演出を実行可能であり、
前記非有利区間において前記非推奨態様で遊技を行った場合は、前記有利区間への移行が行われないことを特徴とする遊技機。
【手続補正２】
【補正対象書類名】明細書
【補正対象項目名】０００５
【補正方法】変更
【補正の内容】
【０００５】
従来の遊技機において、いわゆるフリーズ演出を実行可能としたものが知られている（例えば、特許文献１参照）。
【手続補正３】
【補正対象書類名】明細書
【補正対象項目名】０００６
【補正方法】変更
【補正の内容】
【０００６】
【特許文献１】特開２０１０−５７７３５号公報
【手続補正４】
【補正対象書類名】明細書
【補正対象項目名】０００７
【補正方法】変更
【補正の内容】
【０００７】
ところで、特許文献１に示すような遊技機において、有利度が高いことを示す演出（例えば、フリーズ演出）が何回も実行された後に有利区間が終了してしまうと、かえって遊技者に喪失感を与えることがあった。
【手続補正５】
【補正対象書類名】明細書
【補正対象項目名】０００８
【補正方法】変更
【補正の内容】
【０００８】
本発明は、有利度が高いことを示す演出を適切に制御することで遊技の興趣の低下を防止することを目的とする。
【手続補正６】
【補正対象書類名】明細書
【補正対象項目名】００１０
【補正方法】変更
【補正の内容】
【００１０】
推奨態様での遊技と、非推奨態様での遊技が可能な遊技機であって、
遊技者にとって有利な有利状態に制御可能な有利状態制御手段と、
演出を実行可能な演出実行手段と、
前記有利状態の付与期待度を変動させるための複数の異なる制御情報のうちいずれかに応じて通常状態を制御可能な通常状態制御手段と、
前記有利状態及び前記通常状態を一連の有利区間とし、当該一連の有利区間において特定の条件が成立した場合に、当該一連の有利区間を終了させて非有利区間に制御可能な状態制御手段と、
遊技者にとって有利度の高い特定の制御情報に応じて、特別演出を実行することを決定可能な特別演出決定手段と、を備え、
前記特別演出決定手段は、前記一連の有利区間において最初の前記特別演出の実行は決定可能とし、以後同一の前記一連の有利区間において前記特別演出の実行を決定可能としないものであり、
前記演出実行手段は、前記非推奨態様で遊技を行った場合は、前記非推奨態様で遊技が行われている旨を示唆する所定演出を実行可能であり、
前記非有利区間において前記非推奨態様で遊技を行った場合は、前記有利区間への移行が行われないことを特徴とする遊技機。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
上記構成の遊技機によれば、有利度が高いことを示す演出を適切に制御することで遊技の興趣の低下を防止することができる。
【手続補正書】
【提出日】令和2年11月16日(2020.11.16)
【手続補正１】
【補正対象書類名】特許請求の範囲
【補正対象項目名】全文
【補正方法】変更
【補正の内容】
【特許請求の範囲】
【請求項１】
植物体葉緑素の増加による害虫定着阻害剤として用いられる組成物であって、
有機酸を有効成分として含有し、
前記有機酸が、酢酸、安息香酸、リンゴ酸、クエン酸及びアスコルビン酸からなる群から選ばれる少なくとも一種であり、
前記植物体が、キャベツ、茶、タバコ、アスパラガス、ウド、サツマイモ、バレイショ、ホップ、サフラン、ムギ、トウモロコシ、ダイズ、キュウリ、ピーマン、トマト、ブドウ及びバナナからなる群から選ばれる少なくとも一種であり、
前記植物体への定着阻害対象の害虫がハダニ類である、組成物。
【手続補正書】
【提出日】令和3年5月11日(2021.5.11)
【手続補正１】
【補正対象書類名】特許請求の範囲
【補正対象項目名】全文
【補正方法】変更
【補正の内容】
【特許請求の範囲】
【請求項１】
通常遊技状態と、当該通常遊技状態よりも遊技者に有利な特定遊技状態と、に制御可能な遊技状態制御手段と、
前記通常遊技状態において、通常区間と、有利区間と、に制御可能であり、且つ、前記特定遊技状態において、前記有利区間に制御可能な遊技区間制御手段と、
前記有利区間において変動する遊技値を計数可能な計数手段と、
１回の遊技に使用する遊技価値数として、第１条件が成立した場合に第１遊技価値数を設定可能であり、且つ、第２条件が成立した場合に第２遊技価値数を設定可能な設定手段と、
前記通常遊技状態、且つ、前記有利区間において、前記第１遊技価値数が設定された場合、前記特定遊技状態への移行に関する特典を付与可能な付与手段と、
前記通常遊技状態、且つ、前記有利区間において、前記付与手段による複数回の付与結果に関する所定情報を表示可能な表示手段と、
を備え、
前記付与手段は、
前記通常遊技状態、且つ、前記有利区間において、前記第２遊技価値数が設定された場合、前記特定遊技状態への移行に関する特典を付与せず、
前記表示手段は、
前記通常遊技状態、且つ、前記有利区間において、前記第１遊技価値数が設定された場合、前記所定情報を表示することが可能であり、
前記通常遊技状態、且つ、前記有利区間において、前記第２遊技価値数が設定された場合、前記所定情報を表示しないことが可能である
ことを特徴とする遊技機。
【請求項２】
通常遊技状態と、当該通常遊技状態よりも遊技者に有利な特定遊技状態と、に制御可能な遊技状態制御手段と、
前記通常遊技状態において、通常区間と、有利区間と、に制御可能であり、且つ、前記特定遊技状態において、前記有利区間に制御可能な遊技区間制御手段と、
前記有利区間において変動する遊技値を計数可能な計数手段と、
１回の遊技に使用する遊技価値数として、第１条件が成立した場合に第１遊技価値数を設定可能であり、且つ、第２条件が成立した場合に第２遊技価値数を設定可能な設定手段と、
前記通常遊技状態、且つ、前記有利区間において、前記設定手段により所定数の遊技価値数が設定された場合、前記特定遊技状態への移行に関する特典を付与可能な付与手段と、
前記通常遊技状態、且つ、前記有利区間において、前記付与手段による複数回の付与結果に関する所定情報を表示可能な表示手段と、
を備え、
前記付与手段は、
前記通常遊技状態、且つ、前記有利区間において、前記第２遊技価値数が設定された場合、前記第１遊技価値数が設定された場合よりも低い確率で、前記特定遊技状態への移行に関する特典を付与し、
前記表示手段は、
前記通常遊技状態、且つ、前記有利区間において、前記第１遊技価値数が設定された場合、前記所定情報を表示することが可能であり、
前記通常遊技状態、且つ、前記有利区間において、前記第２遊技価値数が設定された場合、前記所定情報を表示しないことが可能である
ことを特徴とする遊技機。
【請求項３】
前記表示手段は、
前記通常遊技状態、且つ、前記有利区間において、前記第２遊技価値数が設定された場合、特別情報を表示することで、前記所定情報を表示しないことが可能である
ことを特徴とする請求項１又は２に記載の遊技機。
【請求項４】
前記設定手段により所定数の遊技価値が設定された後、所定の遊技開始条件が成立した場合に、識別情報を可変表示させることが可能な可変表示手段を備え、
前記表示手段は、
前記通常遊技状態、且つ、前記有利区間において、前記第２遊技価値数が設定された後、前記所定の遊技開始条件が成立して、前記可変表示手段において識別情報が可変表示している間に、前記所定情報を表示しないことが可能である
ことを特徴とする請求項１〜３の何れか一項に記載の遊技機。
【請求項５】
前記有利区間において、前記付与手段に付与された特典を記憶可能な記憶手段を備え、
前記遊技区間制御手段は、
前記有利区間において、前記計数手段による計数結果が所定値に到達した場合、前記有利区間を終了させて前記通常区間に制御し、
前記記憶手段は、
前記有利区間が終了した場合、記憶している特典を消去する
ことを特徴とする請求項１〜４の何れか一項に記載の遊技機。
【請求項６】
前記第１遊技価値数は、
前記第２遊技価値数よりも多い数である
ことを特徴とする請求項１〜５の何れか一項に記載の遊技機。
【手続補正２】
【補正対象書類名】明細書
【補正対象項目名】０００５
【補正方法】変更
【補正の内容】
【０００５】
上記目的を達成するため、本発明の遊技機は、通常遊技状態と、当該通常遊技状態よりも遊技者に有利な特定遊技状態と、に制御可能な遊技状態制御手段と、前記通常遊技状態において、通常区間と、有利区間と、に制御可能であり、且つ、前記特定遊技状態において、前記有利区間に制御可能な遊技区間制御手段と、前記有利区間において変動する遊技値を計数可能な計数手段と、１回の遊技に使用する遊技価値数として、第１条件が成立した場合に第１遊技価値数を設定可能であり、且つ、第２条件が成立した場合に第２遊技価値数を設定可能な設定手段と、前記通常遊技状態、且つ、前記有利区間において、前記第１遊技価値数が設定された場合、前記特定遊技状態への移行に関する特典を付与可能な付与手段と、前記通常遊技状態、且つ、前記有利区間において、前記付与手段による複数回の付与結果に関する所定情報を表示可能な表示手段と、を備え、前記付与手段は、前記通常遊技状態、且つ、前記有利区間において、前記第２遊技価値数が設定された場合、前記特定遊技状態への移行に関する特典を付与せず、前記表示手段は、前記通常遊技状態、且つ、前記有利区間において、前記第１遊技価値数が設定された場合、前記所定情報を表示することが可能であり、前記通常遊技状態、且つ、前記有利区間において、前記第２遊技価値数が設定された場合、前記所定情報を表示しないことが可能としている。
【手続補正書】
【提出日】令和3年3月2日(2021.3.2)
【手続補正１】
【補正対象書類名】特許請求の範囲
【補正対象項目名】全文
【補正方法】変更
【補正の内容】
【特許請求の範囲】
【請求項１】
遊技機が設置される島設備から供給される遊技球を貯留可能な貯留領域を有し、
前記貯留領域に貯留されている遊技球を、所定の球通路を経て払出装置により賞球として払い出す遊技機において、
前記貯留領域の外側には、前記貯留領域に貯留されなかった遊技球が位置し得る誘導傾斜部を備え、
前記誘導傾斜部は、前記誘導傾斜部上に位置する遊技球が該誘導傾斜部上に留まらないように遊技機の前方から後方に向けて下り傾斜しており、
前記誘導傾斜部の下り傾斜によって流下する遊技球は、前記球通路の上方から前記球通路内へ落下するように構成され、
前記球通路は、上下複数段になって流通している遊技球の段数を減らすように作用する整流部を有し、
前記誘導傾斜部の下り傾斜によって流下する遊技球は、前記整流部の上流で前記球通路の上方から前記球通路内へ落下するように構成され、
さらに、前記貯留領域の主な底面を形成する主底面部を有し、
前記貯留領域内における前記主底面部より高い位置には前記貯留領域の内側に向けて下り傾斜する貯留領域内傾斜部が設けられ、
前記誘導傾斜部の下り傾斜方向は、前記貯留領域内傾斜部の下り傾斜方向とは異なる方向である
ことを特徴とする遊技機。
【手続補正２】
【補正対象書類名】明細書
【補正対象項目名】０００７
【補正方法】変更
【補正の内容】
【０００７】
本発明は、
遊技機が設置される島設備から供給される遊技球を貯留可能な貯留領域を有し、
前記貯留領域に貯留されている遊技球を、所定の球通路を経て払出装置により賞球として払い出す遊技機において、
前記貯留領域の外側には、前記貯留領域に貯留されなかった遊技球が位置し得る誘導傾斜部を備え、
前記誘導傾斜部は、前記誘導傾斜部上に位置する遊技球が該誘導傾斜部上に留まらないように遊技機の前方から後方に向けて下り傾斜しており、
前記誘導傾斜部の下り傾斜によって流下する遊技球は、前記球通路の上方から前記球通路内へ落下するように構成され、
前記球通路は、上下複数段になって流通している遊技球の段数を減らすように作用する整流部を有し、
前記誘導傾斜部の下り傾斜によって流下する遊技球は、前記整流部の上流で前記球通路の上方から前記球通路内へ落下するように構成され、
さらに、前記貯留領域の主な底面を形成する主底面部を有し、
前記貯留領域内における前記主底面部より高い位置には前記貯留領域の内側に向けて下り傾斜する貯留領域内傾斜部が設けられ、
前記誘導傾斜部の下り傾斜方向は、前記貯留領域内傾斜部の下り傾斜方向とは異なる方向である
ことを特徴とする。
【手続補正書】
【提出日】令和3年6月28日(2021.6.28)
【手続補正１】
【補正対象書類名】特許請求の範囲
【補正対象項目名】全文
【補正方法】変更
【補正の内容】
【特許請求の範囲】
【請求項１】
−ＤＣ電源入力と、
−第１の面と、向かい合う第２の面とを備える第１のプリント基板であって、前記第２の面は第１の一体型電気抵抗パターンを備える第１のプリント基板と、
−熱交換器であって、前記熱交換器の流体入口と流体出口との間で延びる流体流路又は流体通路によって分離される上側壁構造体と、向かい合う下側壁構造体とを備える熱交換器であって、前記上側壁構造体の外面が前記第１の一体型電気抵抗パターンに熱的に接続される、熱交換器と、
前記ＤＣ電源入力と前記第１の一体型電気抵抗パターンとの間に接続された基準抵抗器と、
前記ＤＣ電源入力を、第１の期間の間、前記第１の一体型電気抵抗パターンに接続して、前記第１の一体型電気抵抗パターンにて電力を消費し、前記ＤＣ電源入力を、第２の期間の間、前記基準抵抗器を介して前記第１の一体型電気抵抗パターンに接続するように、
前記第２の期間の間に、前記基準抵抗器の既知の抵抗に基づいて、前記第１の一体型電気抵抗パターンの抵抗を判定するように、
前記第１の一体型電気抵抗パターンの判定された抵抗に基づいて、前記第１の一体型電気抵抗パターンの温度を判定するように構成される、コントローラと、を具備する、注入液加温器。
【請求項２】
前記注入液加温器は、前記コントローラの制御信号に従って選択可能な導電性スイッチ状態及び非導電性スイッチ状態を含む電子スイッチング回路であって、前記電子スイッチング回路は、前記導電性スイッチ状態で、制御可能半導体スイッチを介して、前記ＤＣ電源入力を前記第１の一体型電気抵抗パターンに接続するように構成され、前記非導電性スイッチ状態で、前記基準抵抗器を介して、前記ＤＣ電源入力と前記第１の一体型電気抵抗パターンに接続するように構成される、電子スイッチング回路を具備する、請求項１に記載の注入液加温器。
【請求項３】
前記制御可能半導体スイッチの入力端子と出力端子は、前記基準抵抗器の両端で並列に結合される、請求項２に記載の注入液加温器。
【請求項４】
前記基準抵抗器の抵抗が、前記制御可能半導体スイッチのオン抵抗の少なくとも１００倍大きい、請求項２に記載の注入液加温器。
【請求項５】
前記基準抵抗器の抵抗公差は１％未満であり、任意選択で、前記基準抵抗器は小さな温度係数を有する、請求項１に記載の注入液加温器。
【請求項６】
前記第１の一体型電気抵抗パターンの抵抗が１１Ω未満、例えば、１〜７Ωである、請求項１に記載の注入液加温器。
【請求項７】
前記コントローラは、前記第１の期間と前記第２の期間との間に、１０ｍｓから２００ｍｓなどの所定の遅延時間を提供するように構成され、第１の一体型電気抵抗パターンにおける電力消費は、所定の遅延時間の間に中断される、請求項１に記載の注入液加温器。
【請求項８】
前記コントローラは、所定の遅延時間の間、前記第１の一体型電気抵抗パターンへのＤＣ電源入力の接続を切るように構成される、請求項７に記載の注入液加温器。
【請求項９】
前記コントローラは、所定の遅延時間の間、前記基準抵抗器と前記第１の一体型電気抵抗パターンとの間に接続された第２の制御可能半導体スイッチを開くことによって前記ＤＣ電源入力の接続を切るように構成される、請求項８に記載の注入液加温器。
【請求項１０】
前記コントローラは、前記注入液の所望温度又は目標温度に従って前記流体流路又は流体通路を通って流れる前記注入液の前記温度を制御するために、前記ＤＣ電源入力を経時的に前記第１の一体型電気抵抗パターンに選択的に接続し、接続を切るように構成される、請求項１に記載の注入液加温器。
【請求項１１】
前記上側壁構造体及び前記下側壁構造体は、１５Ｗ／（ｍ・Ｋ）以上又は２００Ｗ／（ｍ・Ｋ）以上の熱伝導率を有する材料で構成される、請求項１に記載の注入液加温器。
【請求項１２】
−少なくとも前記熱交換器、前記第１のプリント基板及び前記第２のプリント基板を取り囲み、包含する、外側ハウジング又はケーシングと、
−金属製の前記熱交換器の前記上側及び下側壁構造体の周縁を取り囲み、接触して、前記熱交換器と前記外側ハウジングとの間の物理的接触及び電気的接触を防止する、電気絶縁フレーム、ガスケット又はリングと、
をさらに具備する、請求項１に記載の注入液加温器。
【請求項１３】
前記第１のプリント基板は、
−前記第２の面上に形成される少なくとも１つの追加の分割された一体型電気抵抗パターンをさらに備える、請求項１に記載の注入液加温器。
【請求項１４】
前記コントローラ及び／又はスイッチング回路は、前記第１のプリント基板の前記第１の面に接合されるかはんだ付けされる、請求項１に記載の注入液加温器。
【請求項１５】
第１の表面および第２の対向する表面を含む第２のプリント基板をさらに備え、前記第２の表面は、前記熱交換器の前記下側壁構造体の外面に熱的に接続された第２の一体型電気抵抗パターンを含み、
前記コントローラはさらに、ＤＣ電源入力を、前記第２の一体型電気抵抗パターンにて電力を消費する第１の期間の間に、前記第２の一体型電気抵抗パターンに選択的に接続するように構成される、請求項１に記載の注入液加温器。
【請求項１６】
前記ＤＣ電源入力にＤＣ電圧を生成するように構成された複数の充電式電池セルを含む電池パックをさらに備える、請求項１に記載の注入液加温器。
【手続補正書】
【提出日】令和3年5月12日(2021.5.12)
【手続補正１】
【補正対象書類名】特許請求の範囲
【補正対象項目名】全文
【補正方法】変更
【補正の内容】
【特許請求の範囲】
【請求項１】
所定周波数帯の電波を受信する受信部と、
前記受信部による電波の受信状況を取得する受信状況取得部と、
前記電波の受信状況を解析して流星の発生を検知する流星検知部と、
流星の発生が検知されると、流星の発生を検知したことを示す流星検知情報を生成して、アクション実行装置に送信する流星検知情報送信部と、
前記流星検知情報を用いてアクションを実行し、流星が発生したことをユーザに報知するアクション実行装置と
を有する流星検知情報提供システム。
【請求項２】
前記流星検知情報送信部は、前記電波の受信状況を解析し、流星エコーの大きさと継続時間の少なくともいずれかの情報を含む前記流星検知情報を生成し、
前記アクション実行装置は、流星エコーの大きさと継続時間の少なくともいずれかに応じた前記アクションを実行する
請求項１に記載の流星検知情報提供システム。
【請求項３】
前記受信部は、複数のアンテナにより前記所定周波数帯の電波を受信し、
前記受信状況取得部は、前記受信部で受信される電波の受信状況を取得し、
前記流星検知部は、前記各電波の受信状況を用いて、流星が発生した位置を推定し、
前記流星検知情報送信部は、流星が発生した位置の情報を含む前記流星検知情報を生成し、
前記アクション実行装置は、流星が発生した位置に対応したアクションを実行する
請求項１又は請求項２に記載の流星検知情報提供システム。
【請求項４】
複数の前記アクション実行装置が複数の位置に配置され、
前記受信部は、複数のアンテナにより前記所定周波数帯の電波を受信し、
前記受信状況取得部は、複数のアンテナの各々で受信される電波の受信状況を取得し、
前記流星検知部は、前記各電波の受信状況を用いて、流星が発生した流星発生位置を推定し、
前記流星検知情報送信部は、前記流星発生位置に対応する前記アクション実行装置に、前記流星検知情報を送信し、
前記流星発生位置に対応する前記アクション実行装置は、アクションを実行し、流星が発生したことを利用者に報知する
請求項１又は請求項２に記載の流星検知情報提供システム。
【請求項５】
前記アクション実行装置は、前記流星検知情報を用いて、イルミネーションライトを制御するイルミネーションライト制御装置と、流星に関するコンテンツの配信を制御するコンテンツ配信サーバと、流星に関する放送番組の演出を実行するサーバと、の少なくともいずれかを含む
請求項１から請求項４のいずれかに記載の流星検知情報提供システム。
【請求項６】
前記イルミネーション制御装置は、
受信した前記流星検知情報を用いて、イルミネーションライトの明るさ、光る時間、光の色、点灯状態、照射方向、の少なくとも一つを制御する
請求項５に記載の流星検知情報提供システム。
【請求項７】
所定周波数帯の電波を受信する受信部と、
前記受信部による電波の受信状況を取得する受信状況取得部と、
前記電波の受信状況を解析して、流星により生じた電離柱によって反射された電波信号を検出する流星検知部と、
所定のアクションを実行することによって流星が発生したことをユーザに報知するアクション実行装置を制御するために、前記電波信号が検出されると、流星が発生したことを示す流星検知情報を生成し、リアルタイムで前記アクション実行装置に出力する流星通知情報出力部と、
を有するリアルタイム流星検知システム。
【請求項８】
前記受信部と、前記受信状況取得部と、前記流星検知部と、前記流星通知情報出力部が同一の筐体に設けられている
請求項７に記載のリアルタイム流星検知システム。
【請求項９】
前記受信部が、複数の位置に配置される
請求項７に記載のリアルタイム流星検知システム。
【請求項１０】
前記流星検知部は、前記受信部により受信した特定の周波数帯の電波のデータから線状ノイズを含むノイズを除去し、ノイズが除去されたデータについて閾値判定を行うことにより、流星により生じた電離柱によって反射された電波信号を検出する
請求項７から請求項９のいずれかに記載のリアルタイム流星検知システム。
【請求項１１】
流星により生じた電離柱によって反射された電波を検出した情報提供装置から、流星が発生したことを示す流星検知情報を受信し、
受信した前記流星検知情報に基づいて、イルミネーションライトの明るさ、光る時間、光の色、点灯状態、照射方向、の少なくとも一つを制御する
イルミネーション制御装置。
【請求項１２】
コンピュータに、
所定周波数帯の電波を受信する受信部による電波の受信状況を取得する受信状況取得処理、
前記電波の受信状況を解析して、流星により生じた電離柱によって反射された電波信号を検出する流星検知処理、
所定のアクションを実行することによって流星が発生したことをユーザに報知するアクション実行装置を制御するために、前記電波信号が検出されると、流星が発生したことを示す流星検知情報を生成し、リアルタイムでアクション実行装置に出力する流星通知情報出力処理、
を実行させるプログラム。
【手続補正書】
【提出日】令和3年7月19日(2021.7.19)
【手続補正１】
【補正対象書類名】特許請求の範囲
【補正対象項目名】全文
【補正方法】変更
【補正の内容】
【特許請求の範囲】
【請求項１】
対象となる物体を含むクエリ画像から該対象の第１の特徴を取得する第１の取得手段と、
前記第１の特徴に基づいて、複数の画像から前記対象を検索する第１の検索手段と、
前記第１の検索手段によって検出された前記対象を含む画像に基づいて、前記第１の特徴とは異なる第２の特徴を取得する第２の取得手段と、
前記第２の特徴に基づいて、前記複数の画像のうち、少なくとも前記第１の検索手段によって前記対象が検出されなかった画像を対象として、前記対象を検索する第２の検索手段と、
を備えることを特徴とする情報処理装置。
【請求項２】
前記第１の検索手段の検索結果と前記第２の検索手段の検索結果とに基づいて、前記対象を含む画像を特定する特定手段を更に備えることを特徴とする請求項１に記載の情報処理装置。
【請求項３】
前記第２の検索手段によって検出された前記対象を含む画像から、前記第１の特徴を取得する第３の取得手段と、
前記第３の取得手段によって取得された第１の特徴と、前記第１の取得手段によって取得した第１の特徴とを比較することにより前記第２の検索手段の検索結果を検証する検証手段と、
を更に備えることを特徴とする請求項１または２に記載の情報処理装置。
【請求項４】
前記検証手段は、前記第３の取得手段によって取得された第１の特徴と、前記第１の取得手段によって取得した第１の特徴との類似度が閾値よりも低い場合に、前記第３の取得手段によって取得した第１の特徴に対応する第２の特徴を前記第２の検索手段の結果から除外することを特徴とする請求項３に記載の情報処理装置。
【請求項５】
前記第１の検索手段は、前記第１の取得手段によって取得された第１の特徴との類似度が所定の閾値以上になる画像を、前記複数の画像から検出することによって、前記第１の検索手段の検索結果を取得することを特徴とする請求項１乃至４の何れか１項に記載の情報処理装置。
【請求項６】
前記第１の検索手段は、前記第１の検索手段によって前記対象が検出された画像のうち、ユーザによって選択された画像を前記第１の検索手段による検索結果として決定することを特徴とする請求項１乃至５の何れか１項に記載の情報処理装置。
【請求項７】
前記第１の特徴は、前記第２の特徴よりも弁別性能が高い特徴であることを特徴とする請求項１乃至６の何れか１項に記載の情報処理装置。
【請求項８】
前記第２の取得手段は、前記第１の検索手段の検索結果のうち、ユーザによって選択された画像に基づいて、前記第２の特徴を取得することを特徴とする請求項１乃至７の何れか１項に記載の情報処理装置。
【請求項９】
前記第１の検索手段の検索結果と前記第２の検索手段の検索結果とを表示装置に表示する表示手段を更に備えることを特徴とする請求項１乃至８の何れか１項に記載の情報処理装置。
【請求項１０】
前記表示手段は、前記第１の検索手段の検索結果と前記第２の検索手段の検索結果のうち、前記クエリ画像の第１の特徴との類似度が最も高い結果を表示することを特徴とする請求項９に記載の情報処理装置。
【請求項１１】
前記第２の検索手段は、撮影された場所または時間を制限した前記複数の画像に基づいて、検索を行うことを特徴とする請求項１乃至１０の何れか１項に記載の情報処理装置。
【請求項１２】
前記対象は人物であって、前記第１の特徴は顔画像から得られた特徴であり、前記第２の特徴は全身を含む画像から得られた特徴であることを特徴とする請求項１乃至１１の何れか１項に記載の情報処理装置。
【請求項１３】
前記対象は人物であって、前記第１の特徴は全身画像から得られた特徴であり、前記第２の特徴は顔画像から得られた特徴であることを特徴とする請求項１乃至１１の何れか１項に記載の情報処理装置。
【請求項１４】
前記第１の特徴および第２の特徴は、追尾された対象のＩＤに基づいて関連付けされていることを特徴とする請求項１乃至１３の何れか１項に記載の情報処理装置。
【請求項１５】
前記第１の特徴および第２の特徴は、視野が重複するように設置された複数のカメラから得られた画像に基づいて関連付けされていることを特徴とする請求項１乃至１４の何れか１項に記載の情報処理装置。
【請求項１６】
前記第１の特徴は、対象の顔画像から得られた特徴であって、
前記第２の特徴は、前記対象の属性を示す特徴であることを特徴とする請求項１２に記載の情報処理装置。
【請求項１７】
対象となる物体を含むクエリ画像から該対象の第１の特徴を取得する第１の取得工程と、
前記第１の特徴に基づいて、複数の画像から前記対象を検索する第１の検索工程と、
前記第１の検索工程において検出された前記対象を含む画像に基づいて、前記第１の特徴とは異なる第２の特徴を取得する第２の取得工程と、
前記第２の特徴に基づいて、前記複数の画像のうち、少なくとも前記第１の検索工程によって前記対象が検出されなかった画像を対象として、前記対象を検索する第２の検索工程と、
を備えることを特徴とする情報処理方法。
【請求項１８】
対象となる物体を含むクエリ画像から該対象の第１の特徴を取得する第１の取得工程と、
前記第１の特徴に基づいて、複数の画像から前記対象を検索する第１の検索工程と、
前記第１の検索工程において検出された前記対象を含む画像に基づいて、前記第１の特徴とは異なる第２の特徴を取得する第２の取得工程と、
前記第２の特徴に基づいて、前記複数の画像のうち、少なくとも前記第１の検索工程によって前記対象が検出されなかった画像を対象として、前記対象を検索する第２の検索工程と、
をコンピュータに実行させることを特徴とするプログラム。
【手続補正２】
【補正対象書類名】明細書
【補正対象項目名】０００８
【補正方法】変更
【補正の内容】
【０００８】
本発明に係る情報処理装置は、対象となる物体を含むクエリ画像から該対象の第１の特徴を取得する第１の取得手段と、前記第１の特徴に基づいて、複数の画像から前記対象を検索する第１の検索手段と、前記第１の検索手段によって検出された前記対象を含む画像に基づいて、前記第１の特徴とは異なる第２の特徴を取得する第２の取得手段と、前記第２の特徴に基づいて、前記複数の画像のうち、少なくとも前記第１の検索手段によって前記対象が検出されなかった画像を対象として、前記対象を検索する第２の検索手段と、を備えることを特徴とする。